(57)【要約】ねじ式ふた（１０）を備える瓶（１１）が、基本的に液状の内容物を取り出すための、一体化されたブラシ（１２）と共に提供される。本発明によると、ふた（１０）が軸方向可動であり、小瓶の内部（１５）の基部（１９）に向けてシンク（３０）が設けられて、ブラシ（１２）はふた（１０）内に保持される。シンク（３０）の少なくとも一部は可動部材（１２）の自由端に対向するように配置される。一体化されたブラシにより、基本的に瓶の内容物全てを簡単に取り出すことが可能である。
2004522651.tif 000002
【特許請求の範囲】
【請求項１】
例えば一体型部材（１２）により主として瓶の液体内容物を取り出すためにブラシあるいはピペットが取り付けられ、前記ブラシあるいは前記ピペットが取り付けられたことにより、取出部（１２）がふた（１０）内に軸方向に移動可能に取り付けられ、少なくとも部分的に取出部（１２）の自由端に対向するシンク（３０）を備える瓶の底（１９）の瓶（１１）の内部（１５）の組み合わせを特徴とする、ねじ込みあるいは差し込みにより開閉可能なふた（１０）を備える瓶（１１）。
【請求項２】
シンク（３０）が円錐形あるいは瓶（１１）の内部（１５）のヘッドにあるピラミッド形の端により形成されていることを特徴とする、請求項１記載の瓶。
【請求項３】
シンク（３０）が、直接あるいは間接に一つあるいはいくつかの傾斜面（２９）上で、瓶（１１）の側面あるいは面（２８）に接続する凹状のシンクにより形成されていることを特徴とする請求項１記載の瓶。
【請求項４】
シンク（３０）が可動の取り出し要素（１２）の軸線に関して対称であることを特徴とする請求項１から３のいずれか一つに記載の瓶。
【請求項５】
通常使用の状態と残量を取り出す場合の使用の状態との状態になる取出部（１２）が、無段式で軸方向に移動可能で、軸方向の経路が、シンク（３０）の深さ、あるいは瓶（１１）のふた（１０）の取り出し経路、あるいは両経路の合計と同じであることを特徴とする、請求項１から４のいずれか一つに記載の瓶。
【請求項６】
取出部（１２）が、通常の使用位置およびまたは、軸方向に移動した、残量を取り出すための使用位置、に固定可能なことを特徴とする、請求項１から５のいずれか一つに記載の瓶。
【請求項７】
ふた（１０）内の取出部（１２）が、圧縮ばね（２７）に反発して移動することを特徴とする、請求項１から６に記載の瓶。
【請求項８】
取出部（１２）が、ふた（１０）内で軸方向に移動可能な押しボタン（２１）に取り付けられていることを特徴とする、請求項１から６のいずれか一つに記載の瓶。
【請求項９】
取出部（１２）が、ふた（１０）内で柔軟に取入れられる可傾レバー（２１’）に取り付けられていることを特徴とする、請求項１から６のいずれか一つに記載の瓶。
【請求項１０】
取出部（１２）が、ふた（１０）内で回転可能に取入れられる回転ボタン（２１’）に取り付けられていることを特徴とする、請求項１から６のいずれか一つに記載の瓶。
【請求項１１】
取出部（１２）の操作部の端が、瓶から離れたふた（１０）のソケット（２２）内で降下可能なことを特徴とする、請求項１から１０のいずれか一つに記載の瓶。
【発明の詳細な説明】
【０００１】
本発明は、例えばねじ込みあるいは差込により開閉可能なふた付き瓶であって、例えばブラシあるいはピペットのように主として瓶内の液体を取り出すための一体型部材を備えるふたのある瓶である。
【０００２】
例えば、美容・化粧品分野では、非常に小さな瓶または小瓶が利用され、ねじ込みふたの内部に固定されているブラシにより、内容物、例えばマニキュアを、一回分ずつ、又はブラシの挿入の度に取り出し、例えば爪のような物体上にに塗布可能となることが知られる。その他の分野でも、例えば修正液を紙に塗るときに、この種のブラシ付きねじ込みふたが利用される。その他の利用範囲は、ねじ込みふたにブラシが組み込まれている医療用薬瓶、例えば点鼻薬の瓶などである。
【０００３】
取出部（ブラシ、ピペットあるいは同様のもの）を備えるふた（ねじ込みふたあるいは差込式ソケット）では、瓶を閉めたふたでのみブラシあるいはピペットの端を瓶の底に向けることができるが、緩めたふたでは、取出部の端は瓶の底の上の空間にとどまるという問題がある。これは、残量のある定量は瓶から取り出せないということを意味する。そのため、瓶を斜めに傾け、取出部を浸らせて、瓶から内容物を取り出そうと試みられなければならない。これは技術を必要とするだけでなく、めんどうなことでもある。
【０００４】
【発明が解決しようとする課題】
本発明の課題の一つは、それゆえ、一体的取出部により基本的に中身全部を簡単な方法で瓶から取り出し可能で開閉可能なふたを備える瓶を提供することである。
【０００５】
【課題を解決するための手段】
この課題を解決するために、先述の開口可能なふたを備える瓶には、請求の範囲に記載の特徴が考慮された。
【０００６】
本発明によれば、取出部の自由端、例えばブラシの前面の端あるいはピペットの開口を、ねじって回し取るふたによって瓶の底まで到達可能にし、このことにより、瓶内部の一定範囲にある瓶の残量を取出部の端により、特別な技術なしに取ることが可能である。ふたに対向する取出部を、瓶の底のシンクに降下させることにより、瓶の中身を基本的に完全に取り出すことが可能である。
【０００７】
シンクの形は多様で、とりわけ瓶の形態は円筒状あるいは角形に変更されうる。請求項２の記載によると、シンクのある形の特徴を示す。請求項３の記載によると、シンクは瓶底の軸中心に直接的に存在し、側面壁まで延在することを特徴とする。
【０００８】
正確に軸方向に向けられた取出部に、請求項４に記載の特徴が備えられていると実用的である。
【０００９】
請求項５及び又は６の記載によると、軸方向調節ないしふたに対向した取出部の延長を段階なしに、あるいは使用状態を段階的に実行でき、その際最後の場合に、特に残量の状態が有利になることを特徴とする。軸方向の移動性の大きさは、軸調整された取出部を使って既に開口されたふたで残量がとらえられていて、ふたを取り外したと同時に残量が取り除かれるべきか、または残量はふたを取り外して初めてとらえられるようになり、それから取り除かれるかによって決められる。
【００１０】
取出部（ブラシ、ピペット）の軸方向の移動性に関して有用な形態は、請求項７から１０のうちいずれか一つに記載の特徴である。
【００１１】
有用な方法で請求項１１による特徴を備えると、瓶とふたの間の容量比率を周知の方法で維持することが可能である。
【００１２】
【発明の実施の形態】
本発明に係る実施例を示す図に基づいて、本発明の詳細を以下に説明する。
【００１３】
本発明に係る図示の一実施例は、軸方向に移動可能なブラシ部１２の形状である取出部を備えるねじ込みふた１０、１０’、１０”を備える瓶１１、１１’である。瓶１１、１１’の使用状態には、通常使用状態または残量を取る場合の使用状態（残量使用状態、使用終端状態）がある。取出部はねじ込みふた１０、１０’又は１０”に対向して取り付けられている。ブラシ部１２で一回分又はブラシ部１２の挿入の度に取出可能な内容物として、所望の手や足の爪等に塗布するマニキュアが例えば瓶１１に入っている。
【００１４】
図示の実施例では、瓶１１、１１’の本体１６、１６’上におねじ付き首１７を備え、ねじ込みふた１０、１０’又をめねじ付きソケット１８により、ねじ込み可能となっている。瓶１１、１１’は円型あるいは角型でもよく、本体１６、１６’は、残量を瓶内で集めるシンク３０のついた底１９に対向する内部または内室１５を備える。図示の実施例では、シンク３０は、軸を中心に、軸に対称的に配置されている。この実施例では、シンク３０は、大きめの傾斜（図１）の円錐状の面２９または緩やかな傾斜（図２）の円錐状の面２９’につながっている。面２９、２９’は瓶の断面が円筒状あるいは矩形状の側面２８に向かって延在する。図１（Ａ）及び図１（Ｂ）の瓶１１と、図２（Ａ）と図２（Ｂ）の瓶１１’とのその他唯一の相違点は、瓶１１の本体１６は瓶１１’の本体１６’より小さいということである。軸方向に移動可能に、ねじ込みふた１０、１０’又は１０”内に取り付けられているブラシ部１２には、軸方向にまっすぐな柄１３がついている。柄１３のふた裏側の端は、操作部２１、２１’又は２１に固定されている。柄１３の前方の端には、ブラシ１４が固定されている。操作部２１、２１’はねじ込みふた１０、１０’、１０”可動に取り付けられている。
【００１５】
図１（Ａ）、図１（Ｂ）及び図２（Ａ）、図２（Ｂ）の実施例では、柄１３のふた裏側の端は、軸を共有する円筒状のソケット２２内で可動操作ボタン２１に固定されている。ソケット２２には、内部端に、第一の肩部２３があり、直径の小さな第二のソケット２４に平行して、第二の肩部２５が一体的に形成されている。この第二の肩部２５は、ブラシ部１２の柄１３の取付孔２６を取り囲む。図１（Ａ）、図１（Ｂ）及び図２（Ａ）に示すように、瓶１１のおねじ首１７上にある第二の肩部２５の底面は、瓶１１、１１’を閉じた状態ではある指定しない方法で漏れを防ぐ、前面が輪状の面を形成する。ボタン２１の内側に通して配置された柄１３は、ボタン２１の内側端部及び第二の肩部２５の端部に支持されたばね２７により囲まれている。第一の肩部２３は、残量使用状態のときのブラシ部１２のボタン２１の内側端部の停止部として用いる。
【００１６】
本発明に係る第１の実施例を示す図１（Ａ）では、ねじ込みふた１０に取り付けられたブラシ部１２が、初期位置又は通常使用状態にある。この位置では、ブラシ部１２のブラシ１４の自由端が、瓶１１の底部１９の上に到達している。ブラシ部１２の通常使用状態では、ねじ込みふた１０を瓶１１から外し、瓶１１の中身をブラシ１４を使い、おおよそねじ込み部の長さに対応するある残量の位置高さまで、取出作業が可能である。
【００１７】
残量位置高さがそのしるし（ねじ込み部の長さに対応する残量位置高さ）を下回っている場合、図１（Ｂ）に示すように、瓶１１から外したねじ込みふた１０において、ねじ込みふたに対向するブラシ部１２を、軸方向にばね２７を押し込めるように移動する。残量使用状態に含まれるその他の状態は、ボタン２１の内側を第一の肩部２３に取り付けると対応可能である。それにより、ブラシ部１２は、ねじ込みふたに対して、ねじ込み部の長さと同等あるいは同じ長く延出する。残量使用状態に対して、図１（Ｂ）に示すように、液体に浸す状態で液体の残量を取り出すよう瓶１１の底１９のシンク３０まで、ブラシ部１２のブラシ１４の端が到達可能である。
【００１８】
瓶１１’の本体１６’が若干小さい図２（Ａ）及び図２（Ｂ）の実施例では、通常使用状態のときブラシ部１２の自由端が、瓶１１の底１９でのシンク３０を基準にしてある距離にある。その距離は、ボタン２１を押したときのブラシ部１２の軸方向の移動経路にあたる。ねじ込みふた１０においてボタン２１を押すと、ブラシ部１２を図２（Ａ）の通常使用状態から、図２（Ｂ）の示す残量使用状態に変更可能である。本発明に係るこの実施例では、ねじ込みふた１０を締めると、それにより瓶１１’のシンク３０にある液体の残量が捉えられる。ふた１０を外して、液体をブラシにより爪等の上に塗布することがあってもよい。この形態は、例えば、取出部がピペットを備えてもよい。
【００１９】
本発明に係る上記２つの実施例では、ブラシ部１２の軸方向の移動、いわば、指でボタン２１を押すことによりねじ込みふた１０に対向するブラシ部１２が延長されて支持される。ボタン２１上の押圧を解除すれば、ブラシ１４の端が瓶１１の底１９に到達していない初期または通常使用状態に戻り、ねじ込みふた１０は瓶１１、１１’上でねじ込み可能である。また残量使用状態をロックすることも可能である。
【００２０】
シンク３０を用いた先述の瓶１１、１１’を一部示す、または一部省略した図３（Ａ）及び図３（Ｂ）が示す、本発明に係る第二の実施例は、図４（Ａ）、図４（Ｂ）及び図２（Ａ）、図２（Ｂ）による実施例とは、軸方向のブラシ部１２の移動により利用される操作部２１’に違いがある。操作部２１’は、軸３１について旋回可能な可傾レバーを備える。軸３１はねじ込みふた１０’のソケット２２’内で、ねじ込みふた１０’に固定されている。ブラシ部１２の柄１３の端は、可傾レバー２１’について偏心した軸３１に指定しない方法で旋回可能に支持され保持されていて、ねじ込みふた１０’に対向する可傾レバー２１’の旋回の際に、ブラシ部１２または柄１３がそれらの長手軸方向に移動する。ブラシ部１２の柄１３は、中間側面２５’内の孔を貫通している。めねじ付き取出部１８の内部には、瓶１１のおねじ首１７上の台架に密閉部３２が取り付けられている。柄１３’がばね力で押し当て、柄１３を旋回移動で軸方向に動かす連結リンクにより、可傾レバー２１’を取り付けてもよい。
【００２１】
図３（Ａ）が示す、初期及び通常使用状態では、可傾レバー２１’は、ハンドル３３により、ねじ込みふた１０’の周囲側軸受け溝３４に向かって旋回する。このハンドル３３を、矢印Ａの方向に上部へ旋回すると、可傾レバー２１’とねじ込みふた１０’の旋回軸３１の偏心距離に応じて、ねじ込みふた１０’に関してブラシ部１２が延長するように、または、ねじ込みふた１０’の下のブラシ部１２のブラシ１４の作用距離が長くなるように、柄１３と柄１３の可傾レバー２１’と間の接続部を（柄１３の長手）軸方向に移動する。この実施例では、両方の状態（通常使用状態及び図３（Ｂ）の残量使用状態）が固定またはロックされている。
【００２２】
利用面１１、１１’を一部図示又は一部図示を略した図４（Ａ）及び図４（Ｂ）に対応する、本発明に係る第四の実施例では、操作部２１”は、ネジ部により形成され、ネジ部の内部の端にブラシ部１２の柄１３が固定されている。ネジ部２１”には、比較的急勾配のねじ、例えば単一のねじ山が、ねじ込みふた１０”のソケット２２”に各々記載しない方法で設けられている。
【００２３】
おねじは、ネジ部２１”のジャーナル（プラグ、ｄｅｒ Ｚａｐｆｅｎ）３７に配置され、そこでジャーナル３７に外側にハンドルとして用いる円板３６が取り付けられている。ねじ込みふた１０”のソケット２２”は、必然的に、おねじに対応するめねじが設けられている。ソケット２２”内は、ふたを約９０度回すとらせん状に移動する貫通部となっていてもよい。操作部２１”の下部（ジャーナル３７）には、ジャーナル３７内に固定されていて、貫通部にある留めピンが収納されている。操作部２１”を回転すると、軸方向に所望のブラシ部の移動が起こる。
【００２４】
矢印Ｂの方向ヘネジを動かすことにより、図４（Ａ）に示された通常使用状態の回転部２１”を、図４（Ｂ）に示された残量使用状態に変更可能である。その際、先述の実施例のように、ブラシ部１２の延長、例えばネジふた１０”の下部のブラシ１４の端部までの距離が延長する。これらの図でも、両状態が固定されている。
【００２５】
本発明に係り、図示しないその他の実施例に応じて、ボールベンに採用されるロック可能な押しボタン機構の方法により操作部を形成してもよい。
【００２６】
本発明に係り、図示しない実施例に対応し、ねじ込みふたはブラシ部１２の代わりに、相応の方法でねじ込みふた内に軸方向に移動可能に取り付けられるピペットを備えてもよい。ピペットは、ふたを開けたときに、ふたからピペットの下辺までの距離が変更可能なように調節可能である。この長さ調節のために図示の実施例で用いた構成又は機構を組み込むことが可能である。残った液体を集めるためのシンク３０は、異なる方法で瓶に組み込む場合がある。
【図面の簡単な説明】
【図１Ａ】本発明に係る実施の態様の一つに対応するふた付き瓶及び、一体型ブラシ部の通常使用状態を示す縦断図
【図１Ｂ】本発明に係る実施の態様の一つに対応するふた付き瓶及び、一体型ブラシ部の残量取出状態を示す縦断図
【図２Ａ】図１（Ａ）に相当する、本発明に係る第二の実施例を示す図
【図２Ｂ】図１（Ｂ）に相当する、本発明に係る第二の実施例を示す図
【図３Ａ】図１（Ａ）に相当し、瓶を省略した、本発明に係る第三の実施例を示す図
【図３Ｂ】図１（Ｂ）に相当し、瓶を省略した、本発明に係る第三の実施例を示す図
【図４Ａ】図３（Ａ）に相当し、本発明に係る第四の実施例を示す図
【図４Ｂ】図３（Ｂ）に相当し、本発明に係る第四の実施例を示す図
【国際公開パンフレット】
2004522651.tif 000003
2004522651.tif 000004
2004522651.tif 000005
2004522651.tif 000006
2004522651.tif 000007
2004522651.tif 000008
2004522651.tif 000009
2004522651.tif 000010
2004522651.tif 000011
2004522651.tif 000012
2004522651.tif 000013
2004522651.tif 000014
2004522651.tif 000015
2004522651.tif 000016
2004522651.tif 000017
2004522651.tif 000018
2004522651.tif 000019
2004522651.tif 000020
2004522651.tif 000021
2004522651.tif 000022
【手続補正書】
【提出日】平成14年4月5日(2002.4.5)
【手続補正１】
【補正対象書類名】明細書
【補正対象項目名】特許請求の範囲
【補正方法】変更
【補正の内容】
【特許請求の範囲】
【請求項１】
例えば一体型部材（１２）により主として瓶の液体内容物を取り出すためにブラシあるいはピペットが取り付けられ、前記ブラシあるいは前記ピペットが取り付けられたことにより、取出部（１２）がふた（１０）内に軸方向に移動可能に取り付けられ、少なくとも部分的に取出部（１２）の自由端に対向するシンク（３０）を備える瓶の底（１９）の瓶（１１）の内部（１５）の組み合わせを特徴とする、ねじ込みあるいは差し込みにより開閉可能なふた（１０）を備える瓶（１１）。
【請求項２】
前記シンク（３０）が可動の前記取出部（１２）の軸線に関して対称であることを特徴とする請求項１記載の瓶。
【請求項３】
前記取出部（１２）が前記通常の使用位置および／または前記残量を取り出すための使用終端位置の間で無段階に軸方向に移動可能であり、軸方向経路が前記シンク（３０）の深さにほぼ等しいかあるいは前記瓶（１１）からの前記ふた（１０）の取外し経路に等しいかあるいはこれら両経路の合計に等しいことを特徴とする請求項１または２記載の瓶。
【請求項４】
前記取出部（１２）の操作部を備え、前記操作部の端が前記瓶に対向する前記ふた（１０）のソケット（２２）内に降下可能であることを特徴とする請求項１から３の少なくとも一つに記載の瓶。
【手続補正書】
【提出日】平成14年6月21日(2002.6.21)
【手続補正１】
【補正対象書類名】明細書
【補正対象項目名】請求項１
【補正方法】変更
【補正の内容】
【請求項１】
例えばねじ込みまたは差込みによって取付け可能であるふた（１０）が備えられ、このふたが、例えばブラシまたはピペットのような、瓶の基本的に液状中身を取り出すための一体化された部（１２）を備え、一体化のときこの取出部（１２）がふた（１０）内に軸方向に移動可能に保持され、瓶（１１）の内室（１５）が瓶底（１９）の方にシンク（３０）を備え、このシンクの少なくとも一部が前記取出部（１２）の自由端に対向し、前記取出部（１２）が通常の使用位置および／または軸方向に摺動した、残量を取り出すための使用終端位置に固定可能である、瓶（１１）であって、
前記シンク（３０）が前記瓶（１１）の前記内室（１５）の円錐状の端部またはさかさまのピラミッドの形をした端部によって形成されていることと、前記取出部（１２）が軸方向移動時に前記ふた（１０）に固定可能または取外し可能な押しボタン機構に保持されているかあるいは前記ふた（１０）内に枢着されて収容された可傾レバー（２１′）に保持されていることと、を特徴とする瓶。
【国際調査報告】
2004522651.tif 000023
2004522651.tif 000024
2004522651.tif 000025
2004522651.tif 000026